(57)【要約】【課題】簡単な構成により，冊子のサイズに係わらず断裁台に載せた冊子の撓みを防止できる三方断裁機を提供する。【解決手段】本発明に係る三方断裁機１は，冊子の天側を載せる天側断裁台１５と，冊子の地側を載せる地側断裁台１６の間にハニカム構造の伸縮支持ガイド１７を設置し，伸縮支持ガイド１７の一方の片端を天側断裁台１５により支持し，他方の片端を地側断裁台１６により支持するようにすることで，天側断裁台１５と地側断裁台１６の距離に応じて伸縮支持ガイド１７が伸縮するようにしている。【選択図】図１
2016107360.tif 000002
【特許請求の範囲】
【請求項１】
冊子の天側を載せる天側断裁台と，冊子の地側を載せる地側断裁台の間にハニカム構造の伸縮支持ガイドを設置し，前記伸縮支持ガイドの一方の片端を前記天側断裁台により支持し，他方の片端を前記地側断裁台により支持するようにしたことを特徴とする三方断裁機。
【発明の詳細な説明】
【技術分野】
【０００１】
本発明は，天側，地側および小口側の三方を断裁する三方断裁機に関する発明である。
【背景技術】
【０００２】
オフセット輪転印刷機等の印刷機で印刷した刷本を製本する際、中綴じや平綴じなどにより丁合した刷本を冊子に製本した後、天側，地側および小口側の三方を断裁する三方断裁機により冊子を断裁仕上げする。
【０００３】
図４は，冊子３の三方を断裁する三方断裁機２の概略を説明する図である。冊子３の三方を断裁する三方断裁機２は，冊子３の三方を断裁する断裁刃として，冊子３の天側を断裁する天側断裁刃２０と，冊子３の地側を断裁する地側断裁刃２１と，冊子３の小口側を断裁する小口断裁刃２２を備え，更に，冊子３の天側を載せる天側断裁台２５と，冊子３の天側を押さえる天側押さえ板２３と，冊子３の地側を載せる地側断裁台２６と，冊子３の地側を押さえる地側押さえ板２４を備える。
【０００４】
図４で図示した三方断裁機２により冊子３の天側および地側を断裁する際，冊子３の天側の断裁位置近傍を天側断裁台２５と天側押さえ板２３によって押圧し，更に，冊子３の地側の断裁位置近傍を地側断裁台２６と地側押さえ板２４によって押圧した状態で、天側断裁刃２０と地側断裁刃２１を下ろすことによって冊子３の天側および地側を断裁する。
【０００５】
図５は，断裁精度に影響を与える冊子３の垂みを説明する図である。冊子３の天地サイズが変更になると，冊子３の天地サイズに合わせて，天側断裁刃２０，地側断裁刃２１，天側断裁台２５，天側押さえ板２３，地側断裁台２６および地側押さえ板２４を移動させることになるが，冊子３の天地サイズが大きくなると、天側断裁台２５と地側断裁台２６の遊間が広くなり、天側断裁台２５と地側断裁台２６に載せた冊子が撓み、撓んだ状態の冊子３を断裁すると断裁精度に乱れが生じてしまう。
【０００６】
この断裁精度の乱れを防ぐため、特許文献１では，冊子の中央付近を挟持するチャック機構と，天側断裁台とチャック機構間の冊子の撓みおよび地側断裁台のチャック機構間の冊子の撓みを支える支え棒を備えた三方断裁機が開示されている。しかし，既存の三方断裁機にはこのような機構が備えられていないため，冊子の撓みを防止する支えガイドを、天側断裁台と地側断裁台の遊間に設置することが必要になる。
【０００７】
当然のことながら，冊子の撓みを防止する支えガイドのサイズも冊子の天地サイズに合わせて変更しなければならず，冊子の撓みを防止する支えガイドのサイズを間違えると，冊子の撓みを防止する効果が十分に得られない，または，支えガイドと断裁台等が干渉して、三方断裁機が破損する問題が発生する。加えて， 冊子の天地サイズに合わせて、支えガイドを脱着する手間がかかることも問題になる。
【先行技術文献】
【特許文献】
【０００８】
【特許文献１】特開２０１３−２４８７２０号公報
【発明の概要】
【発明が解決しようとする課題】
【０００９】
そこで、本発明は，簡単な構成により，冊子のサイズに係わらず断裁台に載せた冊子の撓みを防止できる三方断裁機を提供することを目的とする。
【課題を解決するための手段】
【００１０】
上述した課題を解決する本発明は，冊子の天側を載せる天側断裁台と，冊子の地側を載せる地側断裁台の間にハニカム構造の伸縮支持ガイドを設置し，前記伸縮支持ガイドの一方の片端を前記天側断裁台により支持し，他方の片端を前記地側断裁台により支持するようにしたことを特徴とする三方断裁機である。
【発明の効果】
【００１１】
ハニカム構造の伸縮支持ガイドの両端は三方断裁機の天側断裁台と地側断裁台によって支持されるため，ハニカム構造の伸縮支持ガイドは，天側断裁台と地側断裁台の距離に応じて伸縮するため，本発明の三方断裁機によれば，冊子のサイズに係わらず三方断裁機の断裁台に載せた冊子の撓みを防止できる。また，天側断裁台と地側断裁台の間にハニカム構造の伸縮支持ガイドを取り付けるだけで本発明を実施できるため，既存の三方断裁機にも容易に展開できる。
【図面の簡単な説明】
【００１２】
【図１】本実施形態に係る三方断裁機を説明する図。
【図２】本実施形態の伸縮支持ガイドを説明する図。
【図３】縮んだ状態の伸縮支持ガイドを説明する図。
【図４】冊子の三方を断裁する三方断裁機の概略を説明する図。
【図５】断裁精度に影響を与える冊子の垂みを説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態に係る三方断裁機１を説明する図である。図１で図示した三方断裁機１は，冊子の三方を断裁する断裁刃として，冊子の天側を断裁する天側断裁刃１０と，冊子の地側を断裁する地側断裁刃１１と，冊子の小口側を断裁する小口断裁刃１２を備え，更に，冊子の天側を載せる天側断裁台１５と，冊子の天側を押さえる天側押さえ板１３と，冊子の地側を載せる地側断裁台１６と，冊子の地側を押さえる地側押さえ板１４を備え，天側断裁台１５と地側断裁台１６との間に，冊子の天地方向に伸縮可能な伸縮支持ガイド１７を設けている。
【００１５】
図２は，本実施形態の伸縮支持ガイド１７を説明する図である。本実施形態では，天側断裁台１５と地側断裁台１６の遊間を塞ぐように設置する伸縮支持ガイド１７の構造を、断面形状が多角形になっている筒状のセル１７ａを連結した状態で並べたハニカム構造としている。図２に図示したように，セル１７ａの断面形状は六角形とすることが一般的であるが，セル１７ａの断面形状は六角形以外の多角形（例えば，四角形）であってもよい。また，本実施形態の伸縮支持ガイド１７の材質としては、アルミニウム合金等の金属類や、ポリ塩化ビニル等の樹脂類を用いることができる。
【００１６】
本実施形態の伸縮支持ガイド１７の構造をハニカム構造とすることで，伸縮支持ガイド１７は，冊子の天地方向に伸縮可能で，伸縮支持ガイド１７の垂直方向の曲げに強い特性を有することになる。本実施形態の伸縮支持ガイド１７は，天側断裁台１５と地側断裁台１６間の距離に応じて伸縮しなければならないため，伸縮支持ガイド１７の一方の片端を天側断裁台１５で支持し，他方の片端を地側断裁台１６で支持している。また，伸縮支持ガイド１７は，断裁する冊子を支える部材になるため，伸縮支持ガイド１７の上面の高さは天側断裁台１５および地側断裁台１６の高さに合わせている。
【００１７】
図３は，縮んだ状態の伸縮支持ガイド１７を説明する図である。天側断裁台１５と地側断裁台１６間の距離が短くなると，セル１７ａの断面形状が変形することで，伸縮支持ガイド１７は縮んだ状態になる。よって，三方断裁機１が対応している冊子の最大天地サイズを参照して，縮んでいない状態（例えば，セル１７ａの断面形状が正六角形の状態）における伸縮支持ガイド１７の天地方向の長さを決めることが必要である。
【００１８】
また，伸縮支持ガイド１７は縮んだ状態になると，天側断裁台１５と地側断裁台１６間の距離に応じて，冊子の天地方向における伸縮支持ガイド１７の長さは短くなるが，セル１７ａの断面形状の変形に応じて，冊子の幅方向における伸縮支持ガイド１７の長さは長くなる。よって，伸縮支持ガイド１７の幅方向の長さを決める際は，三方断裁機１が対応している冊子の最小天地サイズを断裁する時の伸縮支持ガイド１７の幅方向の長さを考慮し，冊子の断裁時に邪魔にならない長さにすることが必要である。
【符号の説明】
【００１９】
１    三方断裁機
１５  天側断裁台
１６  地側断裁台
１７  伸縮支持ガイド
【図１】
2016107360.tif 000003
【図２】
2016107360.tif 000004
【図３】
2016107360.tif 000005
【図４】
2016107360.tif 000006
【図５】
2016107360.tif 000007